Podtech/llm-jp-corpus-v4-ja_patent huggingface dataset:
【手続補正書】
【提出日】平成20年5月28日(2008.5.28)
【手続補正１】
【補正対象書類名】明細書
【補正対象項目名】特許請求の範囲
【補正方法】変更
【補正の内容】
【特許請求の範囲】
【請求項１】  （Ａ）  １）少なくとも第一の相互作用ドメインに結合されたリポーター分子の第一の断片と、少なくとも第二の相互作用ドメインに結合されたリポーター分子の第二の断片とを作製するか、または、
２）前記第一の断片と第二の断片とをコードする核酸分子を作製し、その後、該核酸分子に、該核酸分子がコードしている産物を作製させるステップと、
（Ｂ）  前記二つのドメインを相互作用させるステップと、
（Ｃ）  ペニシリンクラスの基質またはセファロスポリンクラスの基質と反応しうる再構築されたリポーター分子の活性を検出するステップと
を含む分析方法。
【請求項２】  前記リポーター分子が酵素である請求項１記載の分析方法。
【請求項３】  前記リポーター分子がβ−ラクタマーゼである請求項１記載の分析方法。
【請求項４】  前記基質との前記反応が実質的に不可逆的である請求項１記載の分析方法。
【請求項５】  前記基質がニトロセフィンまたはＣＣＦ２／ＡＭを含む請求項１、２、３または４のいずれかに記載の分析方法。
【請求項６】  ｉｎ  ｖｉｖｏで実施される請求項１、２、３または４のいずれかに記載の分析方法。
【請求項７】  前記リポーター分子が通常は真核細胞類に存在しない請求項１、２、３または４のいずれかに記載の分析方法。
【請求項８】  （Ａ）  １）少なくとも第一の相互作用ドメインに結合されたリポーター分子の第一の断片と、少なくとも第二の相互作用ドメインに結合されたリポーター分子の第二の断片、または、
２）それらをコードする化合物
に宿主細胞を曝露するステップと、
（Ｂ）  再構築されたリポーター分子の活性を検出するステップであって、内因性のバックグラウンドを実質的に生じることなくシグナルを生成するリポーター分子と宿主細胞とが使用されることを特徴とするステップと
を含む分析方法。
【請求項９】  シグナル対バックグラウンド比が約３０：１またはそれ以上である請求項１、２、３、４または８のいずれかに記載の分析方法。
【請求項１０】  前記シグナルが肉眼で観察できる請求項１、２、３、４または８のいずれかに記載の分析方法。
【請求項１１】  前記基質がニトロセフィンを含む請求項１０記載の分析方法。
【手続補正２】
【補正対象書類名】明細書
【補正対象項目名】０００５
【補正方法】変更
【補正の内容】
【０００５】
本発明のＰＣＡ法は、ＴＥＭ−１  β−ラクタマーゼの合理的にデザインされた２つの相補的断片に基づく。ＴＥＭ−１の結晶構造により、残基１９６−２００が、タンパク質のコアの外側、酵素ポケット遠位に位置するループを形成していることが示唆されている。このループは、触媒機序に関与しておらず、触媒作用にとって重要とは考えられない（文献４）。これらの理由から、この部位が２つの断片を作製するために選択された。我々は、残基Ｇｌｕ１９７とＬｅｕ１９８の間のループ中央を切断することを選択した。更に、２３個のアミノ酸から成る分泌シグナルペプチドが削除され、機能性酵素だけが残された。従って、断片［１］（ＢＬＦ［１］）は残基２４から１９７、断片［２］（ＢＬＦ［２］）は残基１９８−２８６で構成される。これらの断片はそれぞれ、１５個のアミノ酸（配列番号１）（Ｇｌｙ−Ｇｌｙ−Ｇｌｙ−Ｇｌｙ−Ｓｅｒ）3からなるリンカーにより相互作用ドメイン（ＧＣＮ４ロイシンジッパーまたはラパマイシン誘導性相互作用タンパク質ＦＫＢＰ／ＦＲＢドメイン対）に連結されている。
【手続補正３】
【補正対象書類名】明細書
【補正対象項目名】００２３
【補正方法】変更
【補正の内容】
【００２３】
［実験例］
［実験例１］
［材料および方法］
［ＤＮＡ構築物］
＜ＧＣＮ４ジッパー二量体化システム＞
β−ラクタマーゼの断片（Ｆ［１］およびＦ［２］）を、以下のオリゴヌクレオチドを有するベクターｐＱＥ−３２（キアゲン製）のアンピシリン耐性遺伝子からプロジーン（メンデルサイエンティフィック製）を使用してＰＣＲにより増幅した。ＢＬＦ［１］順方向（配列番号２）は、ＡＡＡＡＡＡＡＡＧＣＧＧＣＣＧＣＡＣＡＣＣＣＡＧＡＡＡＣＧＣＴＧＧＴであり、ＢＬＦ［１］逆方向（配列番号３）は、ＡＡＡＣＴＣＧＡＧＴＴＡＧＣＣＡＧＴＴＡＡＴＡＧＴＴＴＧＣＧであり、ＢＬＦ［２］順方向（配列番号４）はＡＡＡＡＡＡＡＡＧＣＧＧＣＣＧＣＡＣＴＡＣＴＴＡＣＴＣＴＡＧＣＴＴＣＣＣであり、ＢＬＦ［２］逆方向（配列番号５）はＡＡＡＣＴＣＧＡＧＴＴＡＣＣＡＡＴＧＣＴＴＡＡＴＣＡＧＴＧＡＧである。ｐＭＴ３ベクター（真核細胞発現ベクター）においてＧＣＮ４ロイシンジッパー−５ａ．ａ．からなる前記構築物の中に、５個のアミノ酸（配列番号６）（Ｇｌｙ−Ｇｌｙ−Ｇｌｙ−Ｇｌｙ−Ｓｅｒ）から成る柔軟なリンカーの３’末端にＰＣＲ産物を導入し、以下の構築物を得た。５個のアミノ酸リンカーを持つＺｉｐ−５ａ．ａ．ＢＬＦ［１］およびＺｉｐ−５ａ．ａ．ＢＬＦ［２］。
【手続補正４】
【補正対象書類名】明細書
【補正対象項目名】００２４
【補正方法】変更
【補正の内容】
【００２４】
［実験例２］
＜ＦＫＢＰおよびＦＲＢ二量体化システム＞
ｐＭＴ３ベクター（文献１０）において、ＦＲＢ（ＦＲＰＡのＦＫＢＰ−ラパマイシン結合ドメイン、ＦＲＡＰはＦＫＢＰ−ラパマイシン結合タンパク質）−５ａ．ａ．とＦＫＢＰ（ＦＫ５０６結合タンパク質）−５ａ．ａからなる前記構築物の中に、５個のアミノ酸（配列番号６）（Ｇｌｙ−Ｇｌｙ−Ｇｌｙ−Ｇｌｙ−Ｓｅｒ）から成る柔軟なリンカーの３’末端にＰＣＲ産物を導入し、それぞれ構築物ＦＲＢ−５ａ．ａ．−ＢＬＦ［１］およびＦＦＫＢＰ−ＢＬＦ［２］を得た。ＢＬＦ［１］およびＢＬＦ［２］は、それぞれＴＥＭ−１  β−ラクタマーゼの残基２３−１９７および１９８−２８６に対応する。
【手続補正書】
【提出日】平成20年6月12日(2008.6.12)
【手続補正１】
【補正対象書類名】明細書
【補正対象項目名】特許請求の範囲
【補正方法】変更
【補正の内容】
【特許請求の範囲】
【請求項１】  ４０％よりも多いモノグリセリドを有する固体を調製するための酵素的固相反応混合物を調製するためのプロセスであって、該プロセスは：
（ｉ）グリセリドを、必要に応じてレシチンと共に融解し、脂肪相を形成する工程；
（ｉｉ）グリセロール中のリパーゼの溶液を該脂肪相に添加し、生じる混合物を攪拌する工程であって、該グリセロールが、混合物全体の少なくとも１４重量％の量で存在する、工程；
（ｉｉｉ）該混合物をホモジナイズする工程；
（ｉｖ）該混合物を処理し、該酵素的固相反応混合物を形成する工程、
を包含し、レシチンが存在しない場合、該グリセリドが５と３５との間のヨウ素価および２０℃で７５％より多い固体脂肪含量を有し、該酵素的固相反応混合物は、その後、（ｉ）噴霧結晶化されるか、または（ｉｉ）ペレット化されるか、フレーク化されるか、もしくは押し出しされ、そして粉砕される、プロセス。
【請求項２】  前記酵素的固相反応混合物が、噴霧結晶化され、そして必要に応じて低温製粉によって処理される、請求項１に記載のプロセス。
【請求項３】  前記酵素的固相反応混合物が、前記グリセロールのための固体キャリアを含む、請求項１または請求項２に記載のプロセス。
【請求項４】  前記グリセロールのための固体キャリアが、テンサイ糖繊維である、請求項３に記載のプロセス。
【請求項５】  前記酵素的固相反応混合物が、ペレット化されるか、フレーク化されるか、または押し出され、そして粉砕される、請求項１に記載のプロセス。
【請求項６】 ４０％より多いモノグリセリドを有する固体を調製するための酵素的固相反応混合物であって、該反応混合物は：
（ｉ）リパーゼ；
（ｉｉ）少なくとも１４重量％のグリセロール；および
（ｉｉｉ）グリセリド；ならびに、必要に応じて、
（ｉｖ）レシチン
を含み、（ｉｖ）が存在しない場合、該グリセリド（ｉｉｉ）が５と３５との間のヨウ素価および２０℃で７５％より多い固体脂肪含量を有し、該反応混合物が粉末形態である、酵素的固相反応混合物。
【請求項７】  前記反応混合物が、噴霧結晶化され、そして必要に応じて低温製粉によって処理される、請求項６に記載の酵素的固相反応混合物。
【請求項８】  前記酵素的固相反応混合物が、前記グリセロールのための固体キャリアを含む、請求項６または請求項７に記載の酵素的固相反応混合物。
【請求項９】  前記グリセロールのための固体キャリアが、テンサイ糖繊維である、請求項８に記載の酵素的固相反応混合物。
【請求項１０】  前記反応混合物が、ペレット化されるか、フレーク化されるか、または押し出され、そして粉砕される、請求項６に記載の酵素的固相反応混合物。
【請求項１１】  前記（ｉｖ）の非存在下で、前記グリセリド（ｉｉｉ）が、５と１５との間のヨウ素価を有する、請求項６〜１０のいずれかに記載の酵素的固相反応混合物。
【請求項１２】  前記グリセリドがトリグリセリドである、請求項６〜１１のいずれか１項に記載の酵素的固相反応混合物。
【請求項１３】  前記グリセリドがジグリセリドである、請求項６〜１１のいずれかに記載の酵素的固相反応混合物。
【請求項１４】  前記グリセリドが、パーム油、ヒマワリ油、菜種油、大豆油、ベニバナ油、綿実油、落花生油、トウモロコシ油、オリーブ油、ピーナツ油、ラード、獣脂、またはそれらの混合物から獲得される、請求項１２または１３に記載の酵素的固相反応混合物。
【請求項１５】  前記トリグリセリドが、硬化パームステアリンである、請求項１２に記載の酵素的固相反応混合物。
【請求項１６】  前記レシチンが、植物レシチン、粉末レシチン、合成レシチン、または加水分解レシチンから選択される、請求項６〜１５のいずれか１項に記載の酵素的固相反応混合物。
【請求項１７】  前記リパーゼが、Ｐｓｅｕｄｏｍｏｎａｓ  ｓｐ．、Ｃｈｒｏｍｏｂａｃｔｅｒｉｕｍ  ｖｉｓｃｏｓｕｍ、Ｐｓｅｕｄｏｍｏｎａｓ  ｃｅｐａｃｉａ、Ｐｓｅｕｄｏｍｏｎｏｎａｓ  ｓｔｕｔｚｅｒｉ、Ｐｓｅｕｄｏｍｏｎａｓ  ｆｌｏｕｒｅｓｃｅｎｓ、Ｍｕｃｏｒ  ｍｅｉｈｅｉ、またはＣａｎｄｉｄａ  ａｎｔａｒｔｉｃａから獲得される、請求項６〜１６のいずれか１項に記載の酵素的固相反応混合物。
【請求項１８】  前記レシチンが、１重量％〜５０重量％の量で存在する、請求項６〜１０または１２〜１７のいずれか１項に記載の酵素的固相反応混合物。
【請求項１９】  前記グリセリドが、１重量％〜８６重量％の量で存在する、請求項６〜１８のいずれか１項に記載の酵素的固相反応混合物。
【請求項２０】  前記グリセロールが、１４重量％〜２５重量％の量で存在する、請求項６〜１９のいずれか１項に記載の酵素的固相反応混合物。
【請求項２１】  前記モノグリセリドが、−１０℃と５０℃との間の温度で形成される、請求項６〜２０のいずれか１項に記載の酵素的固相反応混合物。
【請求項２２】  食品の調製のための、請求項６〜２１のいずれか１項に記載の固相反応混合物の使用。
【請求項２３】  前記食品が、パン、ケーキ、菓子パン生地製品、パイ生地、液体バター、マフィン、ドーナツ、ビスケット、クラッカー、クッキー、チョコレート、キャンディー、キャラメル、ハラワ、ガム、無糖ガムおよび加糖ガム、風船ガム、ソフト風船ガム、チューイングガム、プリン、シャーベット、冷凍乳製品、アイスクリーム、アイスミルク、コーヒークリーム、ホイップクリーム、カスタードクリーム、乳飲料、ヨーグルト、ムース、ホイップベジタブルクリーム、肉製品、加工肉製品、食用油および食用脂肪、エアホイップ製品および非エアホイップ製品、オイルインウォーターエマルジョン、ウォーターインオイルエマルジョン、マーガリン、ショートニング、スプレッド、低脂肪スプレッドまたは超低脂肪スプレッド、ドレッシング、ディップ、クリームベースのソース、クリームベースのスープ、飲料、スパイスエマルジョン、ソース、ならびにマヨネーズから選択される、請求項２２に記載の使用。
【請求項２４】 反応混合物から４０％より多いモノグリセリドを有する固体を調製するための酵素的固相反応混合物の使用であって、該反応混合物は：
（ｉ）リパーゼ；
（ｉｉ）少なくとも１４重量％のグリセロール；および
（ｉｉｉ）グリセリド；ならびに、必要に応じて、
（ｉｖ）レシチン
を含み、（ｉｖ）が存在しない場合、該グリセリド（ｉｉｉ）が５と３５との間のヨウ素価および２０℃で７５％より多い固体脂肪含量を有し、該反応混合物が粉末形態である、使用。
【手続補正書】
【提出日】平成20年7月24日(2008.7.24)
【手続補正１】
【補正対象書類名】明細書
【補正対象項目名】特許請求の範囲
【補正方法】変更
【補正の内容】
【特許請求の範囲】
【請求項１】  医療機器を患者の呼吸装置に接続する万能呼吸器アダプタであって、
ｉ）異なる直径を有する少なくとも２つの雄テーパを含む装置端部と、
ii）第２の雌ポート内で同心の第１の雌ポートを含む患者端部であって、前記第２の雌ポートが雄嵌合部を画定する外壁を有する患者端部と、
iii）前記装置端部と前記患者端部とを相互接続するチューブ状本体部と、
を含み、
前記装置端部および前記患者端部は、前記装置端部から前記患者端部へガスを送るために流体連通状態になっている、万能呼吸器アダプタ。
【請求項２】  前記本体部にポートを更に含む請求項１記載のアダプタ。
【請求項３】  前記装置端部と前記患者端部は基本的に直角である、請求項１又は２記載のアダプタ。
【請求項４】  前記装置端部と前記患者端部は直線状に並べられる、請求項１又は２記載のアダプタ。
【請求項５】  医療機器を患者の呼吸装置に接続する万能呼吸器アダプタであって、
ｉ）異なる直径を有する少なくとも２つの雄テーパを含む装置端部と、
ii）第１の円形壁によって画定され、第２の円形壁によって画定された第２の雌ポート内で同心である第１の雌ポートを含む患者端部であって、前記第１の雌ポートが、小児用気管内チューブコネクタを収容すための寸法に適合され、前記第２の雌ポートが、成人用気管内チューブコネクタを収容するために適合されるとともに、フェースマスクの雌ポートに嵌入するために適合された雄嵌合部を画定する外壁を有する前記患者端部と、
iii）前記装置端部と前記患者端部とを相互接続するチューブ状本体部とを含み、
前記装置端部および前記チューブ状本体部は、前記第１の雌ポートと流体連通状態になっている連続内腔を含む、万能呼吸器アダプタ。
【請求項６】  前記チューブ状本体部に密閉可能なポートを更に含む請求項５記載のアダプタ。
【請求項７】  前記装置端部と前記患者端部は基本的に直角である、請求項５又は６記載のアダプタ。
【請求項８】  前記装置端部と前記患者端部は直線上に並べられる、請求項５又は６記載のアダプタ。
【手続補正書】
【提出日】平成20年7月31日(2008.7.31)
【手続補正１】
【補正対象書類名】明細書
【補正対象項目名】特許請求の範囲
【補正方法】変更
【補正の内容】
【特許請求の範囲】
【請求項１】
手術器具を受け入れるためのカニューレであって、
手術器具を受け入れるための第１の経路を画定する第１の管状部分であって、前記第１の管状部分の内面および外面に垂直な方向で測定される第１の厚さを有する第１の管状部分と、
前記第１の管状部分に取り付けられ、手術器具を受け入れるための第２の経路を画定する第２の管状部分であって、該第２の経路は前記第１の経路の延長部であり、前記第２の管状部分の内面および外面に垂直に測定される第２の厚さを有する第２の管状部分と
を備え、前記第１の厚さが前記第２の厚さと異なるカニューレ。
【請求項２】
前記第２の厚さが前記第１の厚さよりも小さい請求項１に記載のカニューレ。
【請求項３】
前記第２の厚さが０．００７６ｃｍから０．０１３ｃｍ（０．００３インチから０．００５インチ）の範囲内にある請求項２に記載のカニューレ。
【請求項４】
前記第１の厚さが０．０５１ｃｍから０．１０ｃｍ（０．０２インチから０．０４インチ）の範囲内にある請求項２に記載のカニューレ。
【請求項５】
前記第２の管状部分が、前記第１の経路の断面積よりも大きいサイズまで前記第２の経路の断面積を拡大することができるように展開可能である請求項４に記載のカニューレ。
【請求項６】
前記第２の管状部分が、互いに反対側に位置する第１の端部と第２の端部を有し、前記第１の端部が前記第１の管状部分に取り付けられ、前記第２の管状部分の前記第２の端部での前記第２の経路が、前記第２の管状部分が展開されたときに、前記第１の管状部分内の前記第１の経路の前記断面積よりも大きい断面積を有するようになされた請求項５に記載のカニューレ。
【請求項７】
前記第２の管状部分の前記第１の端部が第１の直径を有し、前記第２の管状部分の前記第２の端部が第２の直径を有し、前記第２の直径が、前記第２の管状部分が展開されたときに、前記第１の直径よりも４０％ないし８０％大きくなるようになされた請求項６に記載のカニューレ。
【請求項８】
前記第２の経路が、前記第２の管状部分が展開されたときに円錐形状を有するようになされた請求項５に記載のカニューレ。
【請求項９】
前記第２の管状部分が、弓状スロットと、前記弓状スロット内に配設されたガイド部材とを有し、前記ガイド部材が、前記弓状スロットの第１の末端部から前記弓状スロットの第２の末端部へと可動であり、前記第２の管状部分を展開することができるようになされている請求項５に記載のカニューレ。
【請求項１０】
前記第２の管状部分が、中心部分によって互いに連結された第１の端部と第２の端部とを有し、前記第１の端部が前記第１の管状部分に取り付けられ、前記弓状スロットが、前記中心部分から前記第２の端部に向けて円周方向に伸長している請求項９に記載のカニューレ。
【請求項１１】
前記第２の管状部分を収縮状態で保つ部材をさらに備え、該部材が、前記収縮状態から展開するように前記第２の管状部分を解放するために手動で作動可能である請求項５に記載のカニューレ。
【請求項１２】
前記収縮状態から展開状態に前記第２の管状部分を展開するためのツールをさらに備え、前記ツールが、前記第１の経路内に挿入可能であり、前記第２の経路を展開するために半径方向外側に向かう力を加えるように作動可能である請求項１１に記載のカニューレ。
【請求項１３】
前記第１および第２の管状部分が放射線透過性材料からなる請求項１に記載のカニューレ。
【請求項１４】
前記第２の管状部分の前記内面が非反射コーティングを有する請求項１に記載のカニューレ。
【請求項１５】
前記第１の管状部分の前記内面が非反射コーティングを有する請求項１４に記載のカニューレ。
【請求項１６】
手術器具を受け入れるためのカニューレであって、
身体に係合するための第１の外面と、手術器具を受け入れるための第１の経路を画定する第１の内面とを有する第１の管状部分であって、近位端と遠位端とを有する第１の管状部分と、
前記第１の管状部分の前記遠位端に取り付けられた第２の管状部分であって、身体に係合するための第２の外面と、手術器具を受け入れるための第２の経路を画定する第２の内面とを有し、前記第２の経路が前記第１の経路の連続部である、第２の管状部分と
を備え、
前記第２の管状部分が、前記第１の管状部分の前記遠位端に枢動可能に接続されているカニューレ。
【請求項１７】
前記第２の管状部分が、前記第１の経路の断面積よりも大きなサイズまで前記第２の経路の断面積を拡大することができるように展開可能である請求項１６に記載のカニューレ。
【請求項１８】
前記第２の経路が、前記第２の管状部分が展開されたときに円錐形状を有するようになされている請求項１７に記載のカニューレ。
【請求項１９】
前記第２の管状部分が、弓状スロットと、前記弓状スロット内に配設されたガイド部材とを有し、前記ガイド部材が、前記スロットの第１の末端部から前記スロットの第２の末端部に向けて移動して前記第２の経路の断面積を増大可能となされている請求項１７に記載のカニューレ。
【請求項２０】
前記第２の管状部分が、管形状に巻かれたシート状材料の弓状セグメントを備える請求項１６に記載のカニューレ。
【手続補正書】
【提出日】平成20年4月10日(2008.4.10)
【手続補正１】
【補正対象書類名】明細書
【補正対象項目名】特許請求の範囲
【補正方法】変更
【補正の内容】
【特許請求の範囲】
【請求項１】  １）芯、２）１つまたは２つ以上の中間層および３）カバー層を含むゴルフボールであって、１つまたは２つ以上の芯、１層または２層以上の中間層およびカバー層が、a)熱可塑性重合体、熱硬化性重合体およびそれらの組み合わせからなる群より選択されている重合体と、b)前記重合体中に実質的に均一に分散された１つまたは２つ以上のナノ充填剤材料の粒子とを含み、然も、前記粒子の各々が、約１μ以下の最大粒径で、そのような粒子の最小粒径よりも少なくとも１桁大きい最大粒径を有する、ゴルフボール。
【請求項２】  重合体が、ポリアミド、アイオノマー、ポリカーボネート、熱硬化性ポリウレタン、熱可塑性ポリウレタン、ポリスチレン、ポリブタジエン、フルオロポリマー、ポリアミドエラストマー、ポリエステルエラストマー、ポリエステル、ポリオレフィン、熱可塑性エラストマー、熱可塑性加硫物、エチレン・エチルアクリレート・無水メタクリル酸三元重合体、グリシジル又は無水マレイン酸官能基を有する樹脂、エポキシ樹脂、それらの何れかの混合物、及びそれらの全ての混合物からなる群から選択されている、請求項１に記載のゴルフボール。
【請求項３】  １つまたは２つ以上のナノ充填剤材料の粒子が粘土を含む、請求項１に記載のゴルフボール。
【請求項４】  粘土が、ハイドロタルサイト、モンモリロナイト、マイカフルオライド、オクトシリケート、それらの何れかの混合物、およびそれらの全ての混合物からなる群から選択されている、請求項３に記載のゴルフボール。
【請求項５】  １つまたは２つ以上のナノ充填剤材料の粒子が相容性化剤をさらに含有する、請求項３に記載のゴルフボール。
【請求項６】  芯が、１つまたは２つ以上のナノ充填剤材料の粒子を含有する、請求項１に記載のゴルフボール。
【請求項７】  カバー層が、１つまたは２つ以上のナノ充填剤材料の粒子を含有する、請求項１に記載のゴルフボール。
【請求項８】  ゴルフボールが、そのゴルフボールの外側表面上にカバー層を有し、芯と前記カバー層との間に位置する１層または２層以上の中間層を有し、然も、前記１層または２層以上の中間層の一つ以上が１つまたは２つ以上のナノ充填剤材料を含有する、請求項１に記載のゴルフボール。
【請求項９】  １つまたは２つ以上のナノ充填剤材料の粒子が、重合体と１つまたは２つ以上のナノ充填剤材料の粒子の総重量に対して、０．１〜２０重量％の量で存在する、請求項１に記載のゴルフボール。
【請求項１０】  １つまたは２つ以上のナノ充填剤材料の粒子が、重合体と１つまたは２つ以上のナノ充填剤材料の粒子の総重量に対して、０．１〜１０重量％の量で存在する、請求項１に記載のゴルフボール。
【請求項１１】  更に、ブロック共重合体を含有し、然も、前記ブロック共重合体が、
芳香族ビニル化合物を含む第一重合体ブロック、
共役ジエン化合物を含む第二重合体ブロック、および
末端ブロック共重合体の所に位置するヒドロキシル基、
を有する、請求項１に記載のゴルフボール。
【手続補正書】
【提出日】平成20年3月26日(2008.3.26)
【手続補正１】
【補正対象書類名】明細書
【補正対象項目名】特許請求の範囲
【補正方法】変更
【補正の内容】
【特許請求の範囲】
【請求項１】  配列２及び配列３を含む物質組成物。
【請求項２】  標的配列を検出するための、配列２、配列３ならびに配列４及び配列５から成るグループから選択された配列を含む物質組成物。
【請求項３】  （ａ）核酸増幅試薬と請求項１に記載の物質組成物と標的配列を含有する疑いのある被験サンプルとから成る反応混合物を形成する段階と、
（ｂ）混合物を増幅条件に供して標的配列の少なくとも１つのコピーを生じさせる段階と、
から成るβ２アドレナリン受容体の標的配列を増幅する方法。
【請求項４】  （ａ）核酸増幅試薬と請求項１に記載の物質組成物と標的配列を含有する疑いのある被験サンプルとから成る反応混合物を形成する段階と、
（ｂ）混合物を増幅条件に供して増幅産物を生じさせる段階と、
（ｃ）配列４及び配列５から成るグループから選択されたプローブを増幅産物にハイブリダイズさせてハイブリッドを形成する段階と、
（ｄ）ハイブリッドを被験サンプル中の標的配列の存在の指標として検出する段階と、
から成る被験サンプル中の標的配列を検出する方法。
【請求項５】  （ａ）配列２及び配列３と、
（ｂ）増幅試薬と、
から成るβ２アドレナリン受容体の標的配列の増幅用キット。
【請求項６】  配列４、配列５、配列６及び配列７から成るグループから選択されたプローブを更に含む請求項６に記載のキット。
【手続補正書】
【提出日】平成20年4月23日(2008.4.23)
【手続補正１】
【補正対象書類名】明細書
【補正対象項目名】特許請求の範囲
【補正方法】変更
【補正の内容】
【特許請求の範囲】
【請求項１】プロピレン、エチレンおよび／またはＣ4−Ｃ18−アルカ−１−エンから、モノマーから誘導される構成単位のうちの９０モル％以上がプロピレンから誘導されているファイバーグレードのプロピレンポリマーを製造する方法であって、
メタロセン触媒を使用してこれらのモノマーを重合して、多分散度ＰＤＩ（ＰＤＩはＭｗ／Ｍｎを意味し、Ｍｗは重量平均分子量を意味し、Ｍｎは数平均分子量を意味し、ＭｗおよびＭｎの値はゲルパーミエーションクロマトグラフィー（ＧＰＣ）により１，２，４−トリクロロベンゼン中１４５℃で測定された値である。）が２．２以下であるプロピレンポリマーを得る工程、および、
続いて、前記プロピレンポリマーを過酸化物処理または熱処理して分解する工程、
を含むことを特徴とする方法。
【請求項２】前記プロピレンポリマーがプロピレンのホモポリマーであることを特徴とする、請求項１に記載の方法。
【請求項３】前記プロピレンポリマーを１８０〜２８０℃の範囲の押出し機温度および０〜２００ｂａｒの範囲の圧力下で過酸化物処理して分解することを特徴とする、請求項１または２に記載の方法。
【請求項４】モノマーのメタロセン触媒を使用した重合を気相で行うことを特徴とする、請求項１〜３のいずれかに記載の方法。
【請求項５】請求項１〜４のいずれかの方法により得ることができるプロピレンポリマー。
【請求項６】請求項５に記載のプロピレンポリマーでありかつ異なるメルトフローレート（ＭＦＲ）を有する異なるプロピレンポリマーを製造する方法であって、
モノマーのメタロセン触媒を使用した重合を、常に実質的に同一のメルトフローレートを有するポリマーが得られるように制御し、 分解処理後のポリマーのメルトフローレートを、異なる量の過酸化物を添加することにより異ならせる、
ことを特徴とする方法。
【請求項７】請求項５に記載のプロピレンポリマーをファイバーの製造のために使用する方法。
【請求項８】請求項５に記載のプロピレンポリマーを含むファイバー、フィルム、または成形品。
【手続補正２】
【補正対象書類名】明細書
【補正対象項目名】０００１
【補正方法】変更
【補正の内容】
【０００１】
【発明の属する技術分野】
本発明は、プロピレン、エチレンおよび／またはＣ4−Ｃ18−アルカ−１−エンから、モノマーから誘導される構成単位の９０モル％以上がプロプレンから誘導されているファイバーグレードのプロピレンポリマーを製造する方法に関する。本発明はさらに、この方法によって得ることができるプロピレンポリマー、上記プロピレンポリマーでありかつ異なるメルトフローレートを有する異なるプロピレンポリマーを製造する方法、上記プロピレンポリマーをファイバーの製造のために使用する方法、および、上記プロピレンポリマーを含むフィルム、ファイバーおよび成形品に関する。
【手続補正３】
【補正対象書類名】明細書
【補正対象項目名】０００９
【補正方法】変更
【補正の内容】
【０００９】
【課題を解決するための手段】
発明者らは、上記目的が、
プロピレン、エチレンおよび／またはＣ4−Ｃ18−アルカ−１−エンから、モノマーから誘導される構成単位のうちの９０モル％以上がプロピレンから誘導されているファイバーグレードのプロピレンポリマーを製造する方法であって、
メタロセン触媒を使用してこれらのモノマーを重合して、多分散度ＰＤＩが２．２以下であるプロピレンポリマーを得る工程、および、
続いて、上記プロピレンポリマーを過酸化物処理または熱処理して分解する工程、
を含むことを特徴とする製造方法により達成されることを発見した。上記ＰＤＩはＭｗ／Ｍｎを意味し、Ｍｗは重量平均分子量を意味し、Ｍｎは数平均分子量を意味し、ＭｗおよびＭｎの値はゲルパーミエーションクロマトグラフィー（ＧＰＣ）により１，２，４−トリクロロベンゼン中１４５℃で測定された値である。メルトフローレート（ＭＦＲ）の値が同一のポリマーの場合には、メタロセン触媒を使用して得られるプロピレンポリマーを過酸化物処理または熱処理して分解することにより、分子量分布の幅がもはや変化しないにもかかわらず、ファイバー強度がさらに向上することがわかっている。さらに、同一の重合反応生成物を基にして異なるメルトフローレートを有する異なるポリマーを得ることができるため、経済性が向上する。本発明はさらに、この方法によって得ることができるプロピレンポリマー、上記プロピレンポリマーでありかつ異なるメルトフローレートを有する異なるプロピレンポリマーを製造する方法、本発明のプロピレンポリマーをファイバーを製造するために使用する方法、および本発明のプロピレンポリマーを含むフィルム、ファイバー及び成形品を提供する。
【手続補正４】
【補正対象書類名】明細書
【補正対象項目名】００１５
【補正方法】変更
【補正の内容】
【００１５】
【化１】
2003535193.tif 000001
を意味し、
Ｒ9〜Ｒ13は、それぞれ水素、Ｃ1〜Ｃ10−アルキル、５〜７員のシクロアルキル（このシクロアルキルは、置換基としてＣ1〜Ｃ10−アルキルを有していてもよい。）、Ｃ6〜Ｃ15−アリールまたはアリールアルキルを意味し、２個の隣接する基は共同して４〜１５個の炭素原子を有する飽和環基または不飽和環基を形成してもよく、Ｒ9〜Ｒ13はまたＳｉ（Ｒ14）3を意味し、
Ｒ14は、Ｃ1〜Ｃ10−アルキル、Ｃ3〜Ｃ10−シクロアルキルまたはＣ6〜Ｃ15−アリールを意味し、
または、基Ｒ4とＺが共同して基−Ｒ15−Ａ−を形成してもよく、
Ｒ15は、
【手続補正書】
【提出日】平成20年1月17日(2008.1.17)
【手続補正１】
【補正対象書類名】明細書
【補正対象項目名】特許請求の範囲
【補正方法】変更
【補正の内容】
【特許請求の範囲】
【請求項１】  最初に、化学式中に少なくとも１つの尿素基を有するモノマーを少なくとも一種類、次に、化学式中にイソシアネート基を有さないモノマーを少なくとも一種類含有する、ラジカル共重合性モノマーの配合物を調製する方法であって、
−  ２つのタイプの試薬としての、化学式中に少なくとも１つのイソシアネート基を有する少なくとも一種類のラジカル共重合性モノマーの、第１アミンおよび第２アミンから選択される少なくとも一種類のアミンとの反応により、尿素基を有する前記モノマーを調製し、
−  化学式中にイソシアネート基を有さない前記モノマーを、反応前であって、前記試薬の内の一方と共に、該試薬の他方を加える前に、および／または前記複数の試薬の添加中に、および／または前記反応後に、含ませる、
各工程を有してなる方法において、
尿素基を有する前記モノマーを調製する反応が、非ラジカル重合性溶媒が存在しない状況で、反応混合物中に溶解された酸素のない状態で行われ、前記試薬である、イソシアネート基を有するモノマーおよびアミンが、イソシアネート当量／アミン当量の比が、０．９８から１．０２までの間にあるような相対比で含まれ、
−  前記反応の終わりに得られる尿素基を有する前記モノマーが、溶解酸素の存在下で、化学式中にイソシアネート基を有さない前記モノマーから構成される溶媒中で希釈された状態に維持されており、
このように調製された配合物が安定であることを特徴とする方法。
【請求項２】  化学式中に少なくとも１つのイソシアネート基を有する前記ラジカル共重合性モノマーが、２−イソシアナトエチルメタクリレート、メタクリロイルイソシアネート、３−イソプロペニル−α，α−ジメチルベンジルイソシアネート、アリルイソシアネート、およびそれらの混合物からなる群より選択されることを特徴とする請求項１記載の方法。
【請求項３】  前記アミンが、エチレンジアミン、ヘキサメチレンジアミン、ブチルアミン、キシレンジアミン、トルイジン、ジアミノフェニルメタン、ポリオキシアルキレン（モノ−またはポリ−）アミン、およびそれらの混合物からなる群より選択されることを特徴とする請求項１または２記載の方法。
【請求項４】  前記反応が、イソシアネート基を有する前記モノマーを前記アミン中に添加することにより行われることを特徴とする請求項１から３いずれか１項記載の方法。
【請求項５】  前記反応が、反応混合物を不活性ガスで泡立てながら行われるか、または不活性雰囲気下で行われることを特徴とする請求項１から４いずれか１項記載の方法。
【請求項６】 得られた尿素基を有する前記モノマー内に酸素を溶解させるために、前記反応の終わりに気体で泡立てることを特徴とする請求項１から５いずれか１項記載の方法。
【請求項７】  化学式中にイソシアネート基を有さない前記モノマーが、（メタ）アクリル、（メタ）アクリルアミド、スチレン、またはアリルタイプのモノマーから選択されることを特徴とする請求項１から６いずれか１項記載の方法。
【請求項８】  化学式中にイソシアネート基を有さない前記モノマーが、スチレン、ジビニルベンゼン、メチルメタクリレート、ベンジルメタクリレート、ヒドロキシプロピルアクリレート、およびエチレングリコールジメタクリレート、並びにそれらの混合物からなる群より選択されることを特徴とする請求項７記載の方法。
【請求項９】  化学式中にイソシアネート基を有さない前記モノマーが、反応前であって、前記試薬の内の一方と共に、該試薬の他方を加える前に、または前記複数の試薬の添加中に、または前記反応後に、含まれることを特徴とする請求項１から８いずれか１項記載の方法。
【請求項１０】  前記モノマーの配合物が溶解酸素で飽和されていることを特徴とする請求項１から９いずれか１項記載の方法。
【請求項１１】  連続して、
−  尿素基を有するモノマーを得るために、イソシアネート基を有する少なくとも一種類のモノマーを、第１アミンおよび第２アミンから選択される少なくとも一種類のアミンに添加する工程であって、ここで、溶媒が全く存在しない状況下で、不活性ガスにより泡立てられ、該アミンおよびモノマーが、イソシアネート当量／アミン当量の比が１に等しくなるような相対比率で含まれている工程、および
−  不活性ガスによる泡立てを、空気による泡立てと置き換え、該空気により泡立てながら、化学式中にイソシアネート基を有さないラジカル共重合性モノマーを少なくとも一種類、得られた尿素基を有する前記モノマーに加える工程、
を有してなることを特徴とする請求項１から１０いずれか１項記載の方法。
【手続補正書】
【提出日】平成20年6月11日(2008.6.11)
【手続補正１】
【補正対象書類名】明細書
【補正対象項目名】特許請求の範囲
【補正方法】変更
【補正の内容】
【特許請求の範囲】
【請求項１】  ある程度または完全に脱脂されたカカオ固形物から低分子量のココアプロシアニジンオリゴマーを選択的に抽出する方法であって、前記カカオ固形物を、酢酸メチルまたは酢酸エチルである溶剤により抽出する工程を有してなることを特徴とする方法。
【請求項２】  ある程度脱脂されたまたは完全に脱脂されたカカオ固形物から高分子量のココアプロシアニジンオリゴマーを選択的に抽出する方法であって、前記固形物が、ローストされていないカカオ豆から調製されたものであり、(a)前記カカオ固形物を酢酸エチルで抽出し；(b)抽出されたカカオ固形物を回収し；(c)回収されたカカオ固形物を、アセトン、エタノールおよびそれらの水性混合物から選択される溶剤で抽出し；(d)カカオ抽出物からカカオ固形物を分離し；(e)必要に応じて、前記カカオ抽出物を乾燥させる；各工程を有してなることを特徴とする方法。
【請求項３】 ある程度脱脂されたまたは完全に脱脂されたカカオ固形物から、カテキン、エピカテキン、およびココアプロシアニジンオリゴマーを含むココアポリフェノールを、前記ココアポリフェノールを可溶化するのに適した水性有機溶剤を用いて抽出する連続方法であって、(a)前記カカオ固形物を含有する一連のセルに、対向流方向で流動する前記溶剤を接触させ；(b)カカオ抽出物を回収し；(c)該カカオ抽出物を再利用する；各工程を有してなることを特徴とする方法。
【請求項４】  前記方法が加圧下で行われることを特徴とする請求項３記載の方法。
【請求項５】  前記抽出が、０℃から使用される前記溶剤の沸点までの温度で行われることを特徴とする請求項３または４記載の方法。
【請求項６】  前記溶剤が、低級アルキルアルコール、低級アルキルケトン、または低級酢酸アルキルである、もしくは前記水性溶剤が、低級アルキルアルコール、低級アルキルケトン、または低級酢酸アルキルと約５０％までの水であることを特徴とする請求項３から５いずれか１項記載の方法。
【請求項７】  前記低級アルキルアルコールが、メタノール、エタノールまたはイソプロパノールであり、前記低級アルキルケトンがアセトンであり、前記低級酢酸アルキルが酢酸メチルまたは酢酸エチルであることを特徴とする請求項６記載の方法。
【請求項８】  前記水性有機溶剤が酸性水性有機溶剤であることを特徴とする請求項３から７いずれか１項記載の方法。
【請求項９】  前記酸性水性有機溶剤が約５０％までの水を含有することを特徴とする請求項８記載の方法。
【請求項１０】  前記酸性水性有機溶剤が、約９５％のエタノールと約５％の水、約５０％から約７０％までのイソプロパノールと約３０％から約５０％までの水、または約８０％のアセトンと約２０％の水であることを特徴とする請求項９記載の方法。
【請求項１１】  前記水性有機溶剤が約８０％のイソプロパノールと約２０％の水との混合物であることを特徴とする請求項９記載の方法。
【請求項１２】  前記カカオ抽出物が、前記カカオ固形物からココアポリフェノールが実質的に全く抽出されなくなるまで再利用されることを特徴とする請求項３から１１いずれか１項記載の方法。
【請求項１３】  前記抽出物が、前記再利用が完了した後、凍結乾燥、噴霧乾燥、フラッシュ乾燥、またはドラム乾燥によって、前記溶剤を蒸発させ、前記抽出物中に存在する水を全て除去することにより、乾燥されることを特徴とする請求項３から１２いずれか１項記載の方法。
【請求項１４】  前記カカオ固形物が、ローストされていないカカオ豆から調製されることを特徴とする請求項３から１３いずれか１項記載の方法。
【請求項１５】  前記溶剤が、食用酸または生理学的に許容される酸により約２から約４のｐＨまで酸性化されていることを特徴とする請求項１から１４いずれか１項記載の方法。
【請求項１６】  前記抽出が、０℃から使用される前記溶剤の沸点までの温度で行われることを特徴とする請求項１、２または３記載の方法。
【請求項１７】  ローストされていないカカオ豆から調製された、ある程度脱脂されたまたは完全脱脂されたカカオ固形物からココアプロシアニジンおよびテオブロミンを回収する方法であって、前記固形物が、ローストされていないカカオ豆から調製されたものであり、(a)約５０℃から約７０℃までで前記カカオ固形物をエタノールにより抽出し；(b)前記テオブロミンを沈澱させるのに十分な時間に亘り十分な温度でエタノール抽出物を冷却し；(c)沈澱したテオブロミンを分離し；(d)前記抽出物から前記エタノールを除去して、乾燥したココアプロシアニジンを回収する；各工程を有してなることを特徴とする方法。
【請求項１８】  ローストされていないカカオ豆から調製された、ある程度脱脂されたまたは完全脱脂されたカカオ固形物より抽出されるココアプロシアニジン中のテオブロミンの量を最小にする方法であって、前記固形物が、ローストされていないカカオ豆から調製されたものであり、(a)前記カカオ固形物をイソプロパノールにより抽出して、ココアプロシアニジンおよびテオブロミンを含有するアルコール抽出物を生成し；(b)前記テオブロミンを沈澱させるのに十分な時間に亘り十分な温度で前記アルコール抽出物を冷却し；(c)該アルコール抽出物から前記テオブロミンを分離する；各工程を有してなることを特徴とする方法。
【請求項１９】  前記冷却が０℃から約５℃で約１時間から約１２時間に亘り行われ、前記分離工程が、前記抽出物の濾過、前記抽出物の遠心分離、または前記テオブロミンの支持体への吸着により行われることを特徴とする請求項１７または１８記載の方法。
【請求項２０】  前記カカオ豆が未発酵または不十分に発酵したカカオ豆であることを特徴とする請求項１から１９いずれか１項記載の方法。
【請求項２１】  前記不十分に発酵したカカオ豆が２７５以下の発酵係数を有することを特徴とする請求項２０記載の方法。
【請求項２２】  前記カカオ豆が、スレートカカオ豆、パープルカカオ豆、またはパープルブラウンカカオ豆、もしくはスレートカカオ豆とパープルカカオ豆との混合物、パープルカカオ豆とブラウンカカオ豆との混合物、もしくはスレートカカオ豆とパープルカカオ豆とブラウンカカオ豆との混合物であることを特徴とする請求項２０記載の方法。
【請求項２３】  請求項１から２２いずれか１項記載の方法により得られたカカオ抽出物。
【請求項２４】  少なくともココアプロシアニジン四量体およびそれより高級のオリゴマーから実質的になるカカオ抽出物。
【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】  （a）  ポリマーマトリックス；および
（b）  ポリマーマトリックス内に存在する所定量のボツリヌス毒素；
を含んで成り、少量のボツリヌス毒素がポリマーマトリックスから長期間にわたって有意な免疫系反応を生じずに放出される制御放出系。
【請求項２】  ボツリヌス毒素が、実質的に連続的にまたは単相的にポリマーマトリックスから放出される請求項1に記載の制御放出系。
【請求項３】  ボツリヌス毒素がポリマーマトリックスから放出される長期間が、約10日間〜約6年間である請求項1に記載の制御放出系。
【請求項４】  ポリマーマトリックスが、実質的に非生分解性である物質から成る請求項1に記載の制御放出系。
【請求項５】  ボツリヌス毒素が、A、B、C1、D、E、FおよびG型ボツリヌス毒素から成る群から選択されるボツリヌス毒素である請求項1に記載の制御放出系。
【請求項６】  ボツリヌス毒素が、A型ボツリヌス毒素である請求項1に記載の制御放出系。
【請求項７】  ポリマーマトリックスを構成するポリマーが、メタクリレート、ビニルピロリドン、ビニルアルコール、アクリル酸、ポリメチルメタクリレート、シロキサン、酢酸ビニル、乳酸、グリコール酸、コラーゲン、バイオセラミックポリマーおよびそれらのコポリマーから成る群から選択される請求項1に記載の制御放出系。
【請求項８】  ボツリヌス毒素の量が、約1単位〜約50，000単位のボツリヌス毒素である請求項1に記載の制御放出系。
【請求項９】  ボツリヌス毒素の量が、約10単位〜約2，000単位のA型ボツリヌス毒素である請求項1に記載の制御放出系。
【請求項１０】  ボツリヌス毒素の量が、約100単位〜約30，000単位のB型ボツリヌス毒素である請求項1に記載の制御放出系。
【請求項１１】  ボツリヌス毒素が、埋め込まれた系の部位で、またはその近くで、筋肉または筋肉群の弛緩性筋肉麻痺を生じるのに有効な量で放出される請求項1に記載の制御放出系。
【請求項１２】  （a）  ポリマーマトリックス；および
（b）  ポリマーマトリックス内の約10単位〜約20，000単位のボツリヌス毒素を含んで成り、少量のボツリヌス毒素がポリマーマトリックスから、約2ヶ月〜約5年の長期間にわたって有意な免疫系反応を生じずに放出される制御放出系。
【請求項１３】  制御放出系を製造する方法であって、
（a）  ポリマーを溶媒に溶解して、ポリマー溶液を作る工程；
（b）  ボツリヌス毒素を、ポリマー溶液に混合または分散させて、ポリマー／ボツリヌス毒素混合物を作る工程；および
（c）  ポリマー／ボツリヌス毒素混合物を固化または硬化させ、それによって少量のボツリヌス毒素がポリマーマトリックスから、長期間にわたって有意な免疫系反応を生じずに放出される制御放出系を製造する工程；
を含んで成る方法。
【請求項１４】  混合工程の後に、溶媒を蒸発させる工程をさらに含んで成る請求項13に記載の方法。
【請求項１５】  有意な免疫系反応を生じずに運動障害を処置するための医薬の製造における、ポリマーマトリックスおよびボツリヌス毒素を含む連続放出系の使用。
【手続補正書】
【提出日】平成20年5月23日(2008.5.23)
【手続補正１】
【補正対象書類名】明細書
【補正対象項目名】特許請求の範囲
【補正方法】変更
【補正の内容】
【特許請求の範囲】
【請求項１】  アルミニウムアセチルアセトナートで架橋された官能化した水素化ブロック共重合体を含むポリマー組成物。
【請求項２】  請求項１のポリマー組成物を含む、接着剤、シ−ラント、オイルゲル，アスファルト配合物、またはろう配合物。
【手続補正書】
【提出日】平成20年5月20日(2008.5.20)
【手続補正１】
【補正対象書類名】明細書
【補正対象項目名】特許請求の範囲
【補正方法】変更
【補正の内容】
【特許請求の範囲】
【請求項１】  ポリカーボネートおよび／またはポリエステル-カーボネート、
少なくとも１種の衝撃変性剤、
オリゴマー性リン酸エステル、ホスファゼンおよびホスホネート-アミンから成る物質群のうち少なくとも１種から選択される少なくとも１種のリン-含有難燃剤、および
遊離基を形成する試薬で任意に変性されかつプロピレンオキサイドおよび任意にエチレンオキサイドをベースとするポリアルキレンエーテルであって、プロピレンオキサイド含量が該ポリアルキレンエーテルに対して６０〜１００重量％であるもの
を含有する、ＵＬ94Ｖ試験を壁厚さ１．６ｍｍにおいてＶ-０またはＶ-１の評価で合格する組成物。
【請求項２】  ポリカーボネートおよび／またはポリエステル-カーボネート、
少なくとも１種の衝撃変性剤、
オリゴマー性リン酸エステル、ホスファゼンおよびホスホネート-アミンから成る物質群のうち少なくとも１種から選択される少なくとも１種のリン-含有難燃剤、および
遊離基を形成する試薬で任意に変性されかつプロピレンオキサイドと任意にエチレンオキサイドをベースとするポリアルキレンエーテルであって、プロピレンオキサイド含量が該ポリアルキレンエーテルに対して６０〜１００重量％であるもの（組成物１００重量部に対して）０．５〜３重量部
を含有する組成物。
【請求項３】  芳香族ポリカーボネートおよび／またはポリエステル-カーボネート３０〜９８重量部、
少なくとも１種のグラフトポリマー０．５〜５０重量部、
オリゴマー性リン酸エステル、ホスファゼンおよびホスホネート-アミンから成る物質群から選択される少なくとも１種のリン-含有難燃剤０．５〜４０重量部、および
遊離基を形成する試薬で任意に変性されかつプロピレンオキサイドおよび任意にエチレンオキサイドをベースとするポリアルキレンエーテルであって、プロピレンオキサイド含量が該ポリアルキレンエーテルに対して６０〜１００重量％であるもの０．０５〜５重量部
を含有し、前記成分の重量部の合計が１００である請求項１または２に記載の組成物。
【請求項４】  無機材料として、タルクまたは平均粒径２００ｎｍ以下のナノスケール材料を含有する請求項１〜３のいずれかに記載の組成物。
【請求項５】  難燃剤として、下記式(IV)で表されるリン-含有化合物を含有する請求項１〜４のいずれか１以上に記載の組成物。
【化１】
2003535182.tif 000001
（式中、Ｒ１、Ｒ２、Ｒ３およびＲ４はそれぞれ、互いに独立して、Ｃ１-〜Ｃ８-アルキルまたはＣ５-〜Ｃ６-シクロアルキル、Ｃ６-〜Ｃ２０-アリールまたはＣ７-〜Ｃ１２-アラルキルを表し、これらは任意にアルキル、好ましくはＣ１〜Ｃ４-アルキルで置換されていてよく、ｎは、互いに独立して、０または１を表し、Ｎは、０．５〜３０までの数を表し、そしてＸは、炭素数６〜３０の単核-または多核の芳香族基あるいは炭素数２〜３０の直鎖または分枝の脂肪族基を表し、これらはＯＨ置換されていてよく、かつエーテル結合を８個まで含有していてよい。）
【請求項６】  難燃剤として、式：
【化２】
2003535182.tif 000002
（式中、Ｎは０．５〜１０までの数である。）
で表されるビスフェノールＡまたはレゾルシノールをベースとするオリゴホスフェートを含有する請求項１〜５のいずれか１以上に記載の組成物。
【請求項７】  ポリアルキレンエーテルが、遊離基を形成する試薬と任意に反応した純粋なポリプロピレンオキサイドである請求項１〜６のいずれか１以上に記載の組成物。
【請求項８】  ポリアルキレンエーテルの数平均分子量が、3,000ｇ／モル以上である請求項７に記載の組成物。
【請求項９】  個々の成分を混合して、その混合物を高温でコンパウンド化する請求項１〜８のいずれか１以上に記載のポリカーボネート成形用組成物の製造方法。
【請求項１０】  あらゆるタイプの成形物品または成形品の製造のための請求項１〜８のいずれか１以上に記載のポリカーボネート成形用組成物の使用。
【請求項１１】  請求項１〜８のいずれか１以上に記載のポリカーボネート成形用組成物から得られる成形物品または成形品。
【手続補正書】
【提出日】平成20年4月30日(2008.4.30)
【手続補正１】
【補正対象書類名】明細書
【補正対象項目名】特許請求の範囲
【補正方法】変更
【補正の内容】
【特許請求の範囲】
【請求項１】  Ａ）室温（約２３℃）で９３％以上のキシレン不溶留分量を有し、１〜６％のエチレンを含むエチレンとプロピレンのランダムコポリマー７０〜９０％（重量パーセント）と、
Ｂ）８〜１８％のエチレンを含むエチレンとプロピレンのコポリマー１０〜３０％（重量パーセント）とから構成され、
（Ｂ）の合計重量に関する（Ｂ）中のエチレンの重量パーセント（式Ｃ2Bで表される）に対する、（Ａ）及び（Ｂ）の合計重量に関する（Ｂ）の重量パーセントの割合（Ｂ）／Ｃ2Bが、２．５以下であるプロピレンポリマー組成物。
【請求項２】  成分Ａ）とＢ）が別々の連続した工程で製造され、最初の工程を除いて、前の工程で形成されたポリマーと前の工程で使用された触媒との存在下で個々の工程の操作が行なわれる少なくとも２つの連続工程からなる請求項１のプロピレンポリマー組成物を製造するための重合方法。
【請求項３】  請求項１のプロピレンポリマー組成物を含むボトル及び容器。
【請求項４】  請求項１に定義されたプロピレンポリマー組成物から得られ、当該組成物のＭＦＲ  Ｌが０．５〜２．５ｇ／１０分であるボトル及び容器。
【請求項５】  押出吹込成形により得られる請求項４のボトル及び容器。
【手続補正書】
【提出日】平成20年5月21日(2008.5.21)
【手続補正１】
【補正対象書類名】明細書
【補正対象項目名】特許請求の範囲
【補正方法】変更
【補正の内容】
【特許請求の範囲】
【請求項１】
ハロゲン非含有熱可塑性ポリマーの分子量増加／架橋のための方法であって、該方法は、
ａ）ハロゲン非含有熱可塑性ポリマー，
ｂ）少なくとも２つの不飽和炭素結合を有する官能価化合物；及び
ｃ）該ポリマーの融点温度／加工温度において遊離ラジカルを形成する、構造単位＞Ｎ−Ｏ−Ｘを有するアルコキシアミン
を含む組成物を混合し、結晶質ポリマーの場合、該ポリマーの融点以上で、又は、非晶質ポリマーの場合、その軟化点以上に加熱る方法。
【請求項２】
前記アルコキシアミンが、環状アミンであり、及び式（１）
【化１】
2003535171.tif 000001
（式中、Ｇ1、Ｇ2、Ｇ3及びＧ4はメチル基を表し、そしてＧ5及びＧ6が水素原子を表すか、又は、Ｇ1及びＧ3はエチル基を表し、Ｇ2及びＧ4はメチル基を表し、Ｇ5は水素原子を表し、そしてＧ6はメチル基を表し；及びＸは、前記加工温度において、Ｎ−Ｏ又はＯ−Ｘ結合の開裂を誘発可能な基を表す。）で表される構造単位を含む請求項１記載の方法。
【請求項３】
ａ）ハロゲン非含有熱可塑性ポリマー，
ｂ）少なくとも２つの不飽和炭素結合を有する官能価化合物；及び
ｃ）該ポリマーの融点温度／加工温度において遊離ラジカルを形成する、構造単位＞Ｎ−Ｏ−Ｘを有するアルコキシアミン
を含む組成物。
【請求項４】
請求項１記載の方法に従って得られ得る熱可塑性ポリマー。
【手続補正書】
【提出日】平成20年5月20日(2008.5.20)
【手続補正１】
【補正対象書類名】明細書
【補正対象項目名】特許請求の範囲
【補正方法】変更
【補正の内容】
【特許請求の範囲】
【請求項１】  Ａ）ポリカーボネート７０〜９９．５重量部、
Ｂ）下記式(I)で表されるリン化合物０．５〜１８重量部、および
Ｃ）フッ素化ポリオレフィン０．０１〜０．７重量部
を含有する、半透明のポリカーボネート組成物。
【化１】
2003535173.tif 000001
（式中、Ｒ１、Ｒ２、Ｒ３およびＲ４は、互いに独立して、Ｃ１〜Ｃ８-アルキル、あるいは場合によりアルキル、好ましくはＣ１〜Ｃ４-アルキルで置換されたＣ５〜Ｃ６-シクロアルキル、Ｃ６〜Ｃ２０-アリールまたはＣ７〜Ｃ１２-アラルキルを表し、ｎは、互いに独立して、０または１を表し、Ｎは、０．１〜１０までの数を表し、およびＸは、炭素数６〜３０の単核もしくは多核の芳香族基、または炭素数２〜３０の直鎖もしくは分枝の脂肪族基を表し、これらはＯＨ置換されていてよく、かつ８個までのエーテル結合を有していてよい。）
【請求項２】  少なくとも１種のビニル(コ)ポリマーとの凝集混合物の形態またはプレコンパウンドもしくはマスターバッチの形態の粉末として添加されたフッ素化ポリオレフィンを含有する請求項１に記載の組成物。
【請求項３】  前記Ｎが０．７〜３を表す式(I)で表されるリン化合物を含有する請求項１〜２のいずれかに記載の組成物。
【請求項４】  式(I)中のＸが以下の基を表す請求項１〜３のいずれかに記載の組成物。
【化２】
2003535173.tif 000002
【請求項５】  各成分を混合してコンパウンド化する請求項１〜４のいずれかに記載の組成物の調製方法。
【請求項６】  成形物品および成形品の製造のための、請求項１〜５のいずれかに記載の組成物の使用。
【請求項７】  請求項１〜５のいずれかに記載の組成物から得られる成形物品および成形品。